(57)【要約】【課題】所望の漢字を含む見出語を検索したい場合に、当該漢字を含む見出語を適切に表示させることのできる、使い勝手の良い情報表示制御装置等を実現すること。【解決手段】電子辞書は、ユーザにより読みがＴ１０として入力されることで（図９（ａ））、その読みに対応する漢字見出語をＫ１２として一覧表示する（図９（ｂ））。そして、ユーザにより一の漢字見出語が選択され（反転表示Ｍ１２）、訳／決定キーが押下されることで、その選択された漢字見出語を含む慣用句見出語を検索し、Ｋ１４として一覧表示する（図９（ｃ））。また、一の慣用句見出語が選択されると（反転表示Ｍ１４）、選択された慣用句見出語の説明情報をＰ１４としてプレビュー表示する。【選択図】図９
2006099670.tif 000002
【特許請求の範囲】
【請求項１】
読み見出語と漢字見出語と説明情報とを対応づけて複数記憶する記憶手段と、
ユーザ操作に従って読みを入力する読み入力手段と、
前記入力された読みと同じ読みの複数の読み見出語に対応づけて前記記憶手段に記憶された各漢字見出語を一覧表示する制御を行う読み適合漢字表示制御手段と、
この読み適合漢字表示制御手段により表示された各漢字見出語のうち、一の漢字見出語をユーザ操作に従って選択する選択手段と、
この選択手段により選択された漢字見出語を含む複数の漢字見出語を前記記憶手段から検索して一覧表示する制御を行う漢字見出語一覧表示手段と、
この漢字見出語順一覧表示手段により表示された各漢字見出語のうち、一の漢字見出語をユーザ操作に従って指定して、指定された漢字見出語に対応する説明情報を前記記憶手段から読み出して表示する制御を行う説明情報表示制御手段と、
を備えることを特徴とする情報表示制御装置。
【請求項２】
前記読み適合漢字表示制御手段は、前記入力された読みに一致する読み見出語に対応づけて前記記憶手段に記憶された各漢字見出語を一覧表示する制御を行う読み一致漢字表示制御手段を有することを特徴とする請求項１に記載の情報表示制御装置。
【請求項３】
前記読み適合漢字表示制御手段は、前記入力された読みと同じ読みの複数の読み見出語に対応づけて前記記憶手段に記憶された各漢字見出語を、当該読み見出語の読み順に一覧表示する制御を行う読み順表示制御手段を有することを特徴とする請求項１に記載の情報表示制御装置。
【請求項４】
前記漢字見出語一覧表示手段は、前記選択された漢字見出語を末尾に含む複数の漢字見出語を前記記憶手段から検索して一覧表示する制御を行う末尾漢字一覧表示手段を有することを特徴とする請求項１に記載の情報表示制御装置。
【請求項５】
前記読み適合漢字表示制御手段による漢字見出語の一覧表示と、前記漢字見出語一覧表示手段による漢字見出語の一覧表示とをユーザ操作に従って切り替える切替制御手段を備えることを特徴とする請求項１に記載の情報表示制御装置。
【請求項６】
読み見出語と漢字見出語と説明情報とを対応づけて複数記憶する記憶手段と、
ユーザ操作に従って読みを入力する読み入力手段と、
前記入力された読みと同じ読みの複数の読み見出語を検索する読み見出語検索手段と、
前記検索された各読み見出語に対応する各漢字見出語を、前記入力された読みと一致する読み見出語に対応づけて前記記憶手段に記憶された複数の漢字見出語のうちの同一の漢字見出語を含むもの順に一覧表示する制御を行う漢字見出語順一覧表示制御手段と、
この漢字見出語順一覧表示手段により表示された各漢字見出語のうち、何れかの漢字見出語をユーザ操作に従って指定して、対応する説明情報を表示する制御を行う説明情報表示制御手段と、
を備えることを特徴とする情報表示制御装置。
【請求項７】
前記入力された読みと一致する読み見出語に対応づけて前記記憶手段に記憶された各漢字見出語を一覧表示する制御を行う読み一致漢字見出語表示制御手段と、
この読み一致漢字見出語表示制御手段による漢字見出語の一覧表示と、前記漢字見出語順一覧表示制御手段による漢字見出語の一覧表示とをユーザ操作に従って切り替える切替制御手段と、
を備えることを特徴とする請求項６に記載の情報表示制御装置。
【請求項８】
所定の通信回線を介して利用者端末と接続されるサーバにおいて、
読み見出語と漢字見出語と説明情報とを対応づけて複数記憶する記憶手段と、
前記利用者端末から、読みのデータを受信する読み受信手段と、
この読み受信手段により受信した読みと同じ読みの複数の読み見出語に対応づけて前記記憶手段に記憶された各漢字見出語を一覧表示させる制御信号を前記利用者端末に送信する読み適合漢字表示制御信号送信手段と、
この読み適合漢字表示制御信号送信手段により送信した制御信号により一覧表示される各漢字見出語のうち、一の漢字見出語を選択する選択信号を前記利用者端末から受信する選択信号受信手段と、
この選択信号受信手段により受信した選択信号に含まれる漢字見出語を含む複数の漢字見出語を前記記憶手段から検索して一覧表示させる制御信号を前記利用者端末に送信する漢字見出語一覧表示制御信号送信手段と、
この漢字見出語一覧表示制御信号送信手段により送信した制御信号により一覧表示される各漢字見出語のうち、一の漢字見出語を指定する指定信号を前記利用者端末から受信し、受信した指定信号に含まれる漢字見出語に対応する説明情報を前記記憶手段から読み出して表示させる制御信号を前記利用者端末に送信する説明情報表示制御信号送信手段と、
を備えることを特徴とするサーバ。
【請求項９】
所定の通信回線を介して利用者端末と接続されるサーバにおいて、
読み見出語と漢字見出語と説明情報とを対応づけて複数記憶する記憶手段と、
前記利用者端末から、読みのデータを受信する読み受信手段と、
この読み受信手段により受信した読みと同じ読みの複数の読み見出語を検索し、この検索した各読み見出語に対応する各漢字見出語を、読みと一致する読み見出語に対応づけて前記記憶手段に記憶された複数の漢字見出語のうちの同一の漢字見出語を含むもの順に一覧表示させる制御信号を前記利用者端末に送信する漢字見出語順一覧表示制御信号送信手段と、
この漢字見出語順一覧表示制御信号送信手段により送信した制御信号により一覧表示される各漢字見出語のうち、何れかの漢字見出語を指定する指定信号を前記利用者端末から受信し、受信した指定信号に含まれる漢字見出語に対応する説明情報を表示させる制御信号を前記利用者端末に送信する説明情報表示制御信号送信手段と、
を備えることを特徴とするサーバ。
【請求項１０】
コンピュータに、
読み見出語と漢字見出語と説明情報とを対応づけて複数記憶する記憶機能と、
ユーザ操作に従って読みを入力する読み入力機能と、
前記入力された読みと同じ読みの複数の読み見出語に対応づけて前記記憶機能によって記憶された各漢字見出語を一覧表示する制御を行う読み適合漢字表示制御機能と、
この読み適合漢字表示制御機能により表示された各漢字見出語のうち、一の漢字見出語をユーザ操作に従って選択する選択機能と、
この選択機能により選択された漢字見出語を含む複数の漢字見出語を前記記憶機能によって記憶された中から検索して一覧表示する制御を行う漢字見出語一覧表示機能と、
この漢字見出語順一覧表示機能により表示された各漢字見出語のうち、一の漢字見出語をユーザ操作に従って指定して、指定された漢字見出語に対応する説明情報を前記記憶機能により記憶された中から読み出して表示する制御を行う説明情報表示制御機能と、
を実現させるためのプログラム。
【請求項１１】
コンピュータに、
読み見出語と漢字見出語と説明情報とを対応づけて複数記憶する記憶機能と、
ユーザ操作に従って読みを入力する読み入力機能と、
前記入力された読みと同じ読みの複数の読み見出語を検索する読み見出語検索機能と、
前記検索された各読み見出語に対応する各漢字見出語を、前記入力された読みと一致する読み見出語に対応づけて前記記憶機能により記憶された複数の漢字見出語のうちの同一の漢字見出語を含むもの順に一覧表示する制御を行う漢字見出語順一覧表示制御機能と、
この漢字見出語順一覧表示機能により表示された各漢字見出語のうち、何れかの漢字見出語をユーザ操作に従って指定して、対応する説明情報を表示する制御を行う説明情報表示制御機能と、
を実現させるためのプログラム。
【請求項１２】
所定の通信回線を介して利用者端末と接続されるコンピュータに、
読み見出語と漢字見出語と説明情報とを対応づけて複数記憶する記憶機能と、
前記利用者端末から、読みのデータを受信する読み受信機能と、
この読み受信機能により受信した読みと同じ読みの複数の読み見出語に対応づけて前記記憶機能に記憶された各漢字見出語を一覧表示させる制御信号を前記利用者端末に送信する読み適合漢字表示制御信号送信機能と、
この読み適合漢字表示制御信号送信機能により送信した制御信号により一覧表示される各漢字見出語のうち、一の漢字見出語を選択する選択信号を前記利用者端末から受信する選択信号受信機能と、
この選択信号受信機能により受信した選択信号に含まれる漢字見出語を含む複数の漢字見出語を前記記憶機能から検索して一覧表示させる制御信号を前記利用者端末に送信する漢字見出語一覧表示制御信号送信機能と、
この漢字見出語一覧表示制御信号送信機能により送信した制御信号により一覧表示される各漢字見出語のうち、一の漢字見出語を指定する指定信号を前記利用者端末から受信し、受信した指定信号に含まれる漢字見出語に対応する説明情報を前記記憶機能から読み出して表示させる制御信号を前記利用者端末に送信する説明情報表示制御信号送信機能と、
を実現させるためのプログラム。
【請求項１３】
所定の通信回線を介して利用者端末と接続されるコンピュータに、
読み見出語と漢字見出語と説明情報とを対応づけて複数記憶する記憶機能と、
前記利用者端末から、読みのデータを受信する読み受信機能と、
この読み受信機能により受信した読みと同じ読みの複数の読み見出語を検索し、この検索した各読み見出語に対応する各漢字見出語を、読みと一致する読み見出語に対応づけて前記記憶機能に記憶された複数の漢字見出語のうちの同一の漢字見出語を含むもの順に一覧表示させる制御信号を前記利用者端末に送信する漢字見出語順一覧表示制御信号送信機能と、
この漢字見出語順一覧表示制御信号送信機能により送信した制御信号により一覧表示される各漢字見出語のうち、何れかの漢字見出語を指定する指定信号を前記利用者端末から受信し、受信した指定信号に含まれる漢字見出語に対応する説明情報を表示させる制御信号を前記利用者端末に送信する説明情報表示制御信号送信機能と、
を実現させるためのプログラム。
【発明の詳細な説明】
【技術分野】
【０００１】
本発明は、情報表示制御装置、サーバ及びプログラムに関する。
【背景技術】
【０００２】
従来より、国語辞典、漢和辞典、英和辞典等の種々の辞書データベース（以下、データベースを「ＤＢ」と呼ぶ。）が内蔵された情報表示制御装置の一種として、例えば特許文献１に示すような電子辞書装置（以下、「電子辞書」と呼ぶ。）が知られている。辞書ＤＢとは、見出語と当該見出語を説明解説等する説明情報とが対応付けられた情報を集合した集合情報を、コンピュータを用いて検索処理することができるように体系的に構成したものである。
【０００３】
この電子辞書では、ユーザが文字を入力することで（以下、入力した文字を「入力文字列」と呼ぶ。）、入力文字列から始まる見出語が随時検索され、見出語候補として一覧表示される。更に、一覧表示された見出語候補の中からユーザが所望の見出語を選択することで、選択した見出語の説明情報が辞書ＤＢから読み出されて表示される。
【特許文献１】特開２００１−３１２３９７号公報
【発明の開示】
【発明が解決しようとする課題】
【０００４】
しかし、従来の電子辞書では、検索により表示される見出語候補の順序が見出語の読み（以下、「読み見出語」と呼ぶ。）についての五十音順であることが多いため、特定の漢字を含む見出語（以下、「漢字見出語」と呼ぶ。）を含む見出語を検索する場合等には、ユーザが所望の見出語を探しづらいという問題があった。
【０００５】
その一例として、慣用句の見出語（以下、「慣用句見出語」と呼ぶ。）と、当該慣用句見出語の説明情報とを対応づけて複数記憶した慣用句に関する辞書ＤＢ（以下、「慣用句ＤＢ」と呼ぶ。）で辞書引きする場合を説明する。またここでは、「春」という漢字を含む慣用句見出語を検索する場合を考える。この場合、ユーザは図１８（ａ）に示すような慣用句検索画面Ｗ５０において読み「はる」Ｔ５０を入力することで、読み「はる」に対応する漢字を含む慣用句見出語が検索されて、図１８（ｂ）に示すように、読みの五十音順（以下、「読み順」と呼ぶ。）にＫ５２として表示画面Ｗ５２に一覧表示される。
【０００６】
しかし、読み「はる」に対応する漢字には「春」の他に「張る」、「霽」、「撲る」等が存在し、これらの漢字を含む慣用句見出語が混在して表示され、肝心の「春」を含む慣用句見出語が図１８（ｂ）においては全く表示されていない。これは、「春」を含む慣用句見出語が、読み順では最初の方に１つも存在しなかったためである。
【０００７】
また、「春」という漢字を含む慣用句見出語を探すため、ユーザは画面をスクロールさせながら、分散して表示されている慣用句見出語を一つ一つ確認していかなければならず、非常に手間がかかってしまう。
【０００８】
本発明は、このような課題に鑑みて為されたものであり、その目的とするところは、所望の漢字を含む見出語を検索したい場合に、当該漢字を含む見出語を適切に表示させることのできる、使い勝手の良い情報表示制御装置等を実現することである。
【課題を解決するための手段】
【０００９】
以上の課題を解決するために、請求項１に記載の情報表示制御装置は、
読み見出語と漢字見出語と説明情報とを対応づけて複数記憶する記憶手段（例えば、図２のＲＯＭ５０；図４の慣用句ＤＢ５１３ａ、図５の慣用句検索テーブル５１５）と、
ユーザ操作に従って読みを入力する読み入力手段（例えば、図２の入力部３０；図７のステップＡ１）と、
前記入力された読みと同じ読みの複数の読み見出語に対応づけて前記記憶手段に記憶された各漢字見出語を一覧表示する制御を行う読み適合漢字表示制御手段（例えば、図２のＣＰＵ２０；図７のステップＡ７）と、
この読み適合漢字表示制御手段により表示された各漢字見出語のうち、一の漢字見出語をユーザ操作に従って選択する選択手段（例えば、図２の入力部３０；図７のステップＡ９）と、
この選択手段により選択された漢字見出語を含む複数の漢字見出語を前記記憶手段から検索して一覧表示する制御を行う漢字見出語一覧表示手段（例えば、図２のＣＰＵ２０；図７のステップＡ１５、Ａ１７）と、
この漢字見出語順一覧表示手段により表示された各漢字見出語のうち、一の漢字見出語をユーザ操作に従って指定して、指定された漢字見出語に対応する説明情報を前記記憶手段から読み出して表示する制御を行う説明情報表示制御手段（例えば、図２のＣＰＵ２０；図７のステップＡ２５；Ｙｅｓ〜Ａ２９）と、
を備えることを特徴としている。
【００１０】
請求項２に記載の発明は、請求項１に記載の情報表示制御装置であって、
前記読み適合漢字表示制御手段は、前記入力された読みに一致する読み見出語に対応づけて前記記憶手段に記憶された各漢字見出語を一覧表示する制御を行う読み一致漢字表示制御手段（例えば、図２のＣＰＵ２０；図７のステップＡ７）を有することを特徴としている。
【００１１】
請求項３に記載の発明は、請求項１に記載の情報表示制御装置であって、
前記読み適合漢字表示制御手段は、前記入力された読みと同じ読みの複数の読み見出語に対応づけて前記記憶手段に記憶された各漢字見出語を、当該読み見出語の読み順に一覧表示する制御を行う読み順表示制御手段（例えば、図２のＣＰＵ２０；図１４のステップＢ５）を有することを特徴としている。
【００１２】
請求項４に記載の発明は、請求項１に記載の情報表示制御装置であって、
前記漢字見出語一覧表示手段は、前記選択された漢字見出語を末尾に含む複数の漢字見出語を前記記憶手段から検索して一覧表示する制御を行う末尾漢字一覧表示手段（例えば、図２のＣＰＵ２０；図１６（ｃ））を有することを特徴としている。
【００１３】
請求項５に記載の発明は、請求項１に記載の情報表示制御装置であって、
前記読み適合漢字表示制御手段による漢字見出語の一覧表示と、前記漢字見出語一覧表示手段による漢字見出語の一覧表示とをユーザ操作に従って切り替える切替制御手段（例えば、図２のＣＰＵ２０；図７のステップＡ２３；Ｙｅｓ→Ａ７）を備えることを特徴としている。
【００１４】
請求項６に記載の情報表示制御装置は、
読み見出語と漢字見出語と説明情報とを対応づけて複数記憶する記憶手段（例えば、図２のＲＯＭ５０；図４の慣用句ＤＢ５１３ａ、図５の慣用句検索テーブル５１５）と、
ユーザ操作に従って読みを入力する読み入力手段（例えば、図２の入力部３０；図７のステップＡ１）と、
前記入力された読みと同じ読みの複数の読み見出語を検索する読み見出語検索手段（例えば、図２のＣＰＵ２０；図７のステップＡ４）と、
前記検索された各読み見出語に対応する各漢字見出語を、前記入力された読みと一致する読み見出語に対応づけて前記記憶手段に記憶された複数の漢字見出語のうちの同一の漢字見出語を含むもの順に一覧表示する制御を行う漢字見出語順一覧表示手段（例えば、図２のＣＰＵ２０；図８のステップＡ３９）と、
この漢字見出語順一覧表示手段により表示された各漢字見出語のうち、何れかの漢字見出語をユーザ操作に従って指定して、対応する説明情報を表示する制御を行う説明情報表示制御手段（例えば、図２のＣＰＵ２０；図８のステップＡ４７；Ｙｅｓ〜Ａ５１）と、
を備えることを特徴としている。
【００１５】
請求項７に記載の発明は、請求項６に記載の情報表示制御装置であって、
前記入力された読みと一致する読み見出語に対応づけて前記記憶手段に記憶された各漢字見出語を一覧表示する制御を行う読み一致漢字見出語表示制御手段（例えば、図２のＣＰＵ２０；図７のステップＡ７）と、
この読み一致漢字見出語表示制御手段による漢字見出語の一覧表示と、前記漢字見出語順一覧表示制御手段による漢字見出語の一覧表示とをユーザ操作に従って切り替える切替制御手段（例えば、図２のＣＰＵ２０；図８のステップＡ４５；Ｙｅｓ→図７のステップＡ７、図７のステップＡ３５；Ｙｅｓ〜図８のステップＡ３９）と、
を備えることを特徴としている。
【００１６】
請求項８に記載のサーバは、
所定の通信回線を介して利用者端末と接続されるサーバにおいて、
読み見出語と漢字見出語と説明情報とを対応づけて複数記憶する記憶手段（例えば、図１７のＲＯＭ７１０）と、
前記利用者端末から、読みのデータを受信する読み受信手段（例えば、図１７の通信装置７０８）と、
この読み受信手段により受信した読みと同じ読みの複数の読み見出語に対応づけて前記記憶手段に記憶された各漢字見出語を一覧表示させる制御信号を前記利用者端末に送信する読み適合漢字表示制御信号送信手段（例えば、図１７のＣＰＵ７０２、通信装置７０８）と、
この読み適合漢字表示制御信号送信手段により送信した制御信号により一覧表示される各漢字見出語のうち、一の漢字見出語を選択する選択信号を前記利用者端末から受信する選択信号受信手段（例えば、図１７の通信装置７０８）と、
この選択信号受信手段により受信した選択信号に含まれる漢字見出語を含む複数の漢字見出語を前記記憶手段から検索して一覧表示させる制御信号を前記利用者端末に送信する漢字見出語一覧表示制御信号送信手段（例えば、図１７のＣＰＵ７０２、通信装置７０８）と、
この漢字見出語一覧表示制御信号送信手段により送信した制御信号により一覧表示される各漢字見出語のうち、一の漢字見出語を指定する指定信号を前記利用者端末から受信し、受信した指定信号に含まれる漢字見出語に対応する説明情報を前記記憶手段から読み出して表示させる制御信号を前記利用者端末に送信する説明情報表示制御信号送信手段（例えば、図１７のＣＰＵ７０２、通信装置７０８）と、
を備えることを特徴としている。
【００１７】
請求項９に記載のサーバは、
所定の通信回線を介して利用者端末と接続されるサーバにおいて、
読み見出語と漢字見出語と説明情報とを対応づけて複数記憶する記憶手段（例えば、図１７のＲＯＭ７１０）と、
前記利用者端末から、読みのデータを受信する読み受信手段（例えば、図１７の通信装置７０８）と、
この読み受信手段により受信した読みと同じ読みの複数の読み見出語を検索し、この検索した各読み見出語に対応する各漢字見出語を、読みと一致する読み見出語に対応づけて前記記憶手段に記憶された各漢字見出語のうちの同一の漢字見出語を含むもの順に一覧表示させる制御信号を前記利用者端末に送信する漢字見出語順一覧表示制御信号送信手段（例えば、図１７のＣＰＵ７０２、通信装置７０８）と、
この漢字見出語順一覧表示制御信号送信手段により送信した制御信号により一覧表示される各漢字見出語のうち、何れかの漢字見出語を指定する指定信号を前記利用者端末から受信し、受信した指定信号に含まれる漢字見出語に対応する説明情報を表示させる制御信号を前記利用者端末に送信する説明情報表示制御信号送信手段（例えば、図１７のＣＰＵ７０２、通信装置７０８）と、
を備えることを特徴としている。
【００１８】
請求項１０に記載のプログラムは、
コンピュータに、
読み見出語と漢字見出語と説明情報とを対応づけて複数記憶する記憶機能（例えば、図４の慣用句ＤＢ５１３ａ、図５の慣用句検索テーブル５１５）と、
ユーザ操作に従って読みを入力する読み入力機能（例えば、図７のステップＡ１）と、
前記入力された読みと同じ読みの複数の読み見出語に対応づけて前記記憶機能によって記憶された各漢字見出語を一覧表示する制御を行う読み適合漢字表示制御機能（例えば、図７のステップＡ７）と、
この読み適合漢字表示制御機能により表示された各漢字見出語のうち、一の漢字見出語をユーザ操作に従って選択する選択機能（例えば、図７のステップＡ９）と、
この選択機能により選択された漢字見出語を含む複数の漢字見出語を前記記憶機能によって記憶された中から検索して一覧表示する制御を行う漢字見出語一覧表示機能（例えば、図７のステップＡ１５、Ａ１７）と、
この漢字見出語順一覧表示機能により表示された各漢字見出語のうち、一の漢字見出語をユーザ操作に従って指定して、指定された漢字見出語に対応する説明情報を前記記憶機能により記憶された中から読み出して表示する制御を行う説明情報表示制御機能（例えば、図７のステップＡ２５；Ｙｅｓ〜Ａ２９）と、
を実現させることを特徴としている。
【００１９】
請求項１１に記載のプログラムは、
コンピュータに、
読み見出語と漢字見出語と説明情報とを対応づけて複数記憶する記憶機能（例えば、図１２の国語辞典ＤＢ５１３）と、
ユーザ操作に従って読みを入力する読み入力機能（例えば、図１４のステップＢ１）と、
前記入力された読みと同じ読みの複数の読み見出語を検索する読み見出語検索機能（例えば、図１４のステップＢ３）と、
前記検索された各読み見出語に対応する各漢字見出語を、前記入力された読みと一致する読み見出語に対応づけて前記記憶機能により記憶された複数の漢字見出語のうちの同一の漢字見出語を含むもの順に一覧表示する制御を行う漢字見出語順一覧表示機能（例えば、図１４のステップＢ１７）と、
この漢字見出語順一覧表示機能により表示された各漢字見出語のうち、何れかの漢字見出語をユーザ操作に従って指定して、対応する説明情報を表示する制御を行う説明情報表示制御機能（例えば、図１４のステップＢ２５；Ｙｅｓ〜Ｂ２９）と、
を実現させることを特徴としている。
【００２０】
請求項１２に記載のプログラムは、
所定の通信回線を介して利用者端末と接続されるコンピュータに、
読み見出語と漢字見出語と説明情報とを対応づけて複数記憶する記憶機能と、
前記利用者端末から、読みのデータを受信する読み受信機能と、
この読み受信機能により受信した読みと同じ読みの複数の読み見出語に対応づけて前記記憶機能に記憶された各漢字見出語を一覧表示させる制御信号を前記利用者端末に送信する読み適合漢字表示制御信号送信機能と、
この読み適合漢字表示制御信号送信機能により送信した制御信号により一覧表示される各漢字見出語のうち、一の漢字見出語を選択する選択信号を前記利用者端末から受信する選択信号受信機能と、
この選択信号受信機能により受信した選択信号に含まれる漢字見出語を含む複数の漢字見出語を前記記憶機能から検索して一覧表示させる制御信号を前記利用者端末に送信する漢字見出語一覧表示制御信号送信機能と、
この漢字見出語一覧表示制御信号送信機能により送信した制御信号により一覧表示される各漢字見出語のうち、一の漢字見出語を指定する指定信号を前記利用者端末から受信し、受信した指定信号に含まれる漢字見出語に対応する説明情報を前記記憶機能から読み出して表示させる制御信号を前記利用者端末に送信する説明情報表示制御信号送信機能と、
を実現させることを特徴としている。
【００２１】
請求項１３に記載のプログラムは、
所定の通信回線を介して利用者端末と接続されるコンピュータに、
読み見出語と漢字見出語と説明情報とを対応づけて複数記憶する記憶機能と、
前記利用者端末から、読みのデータを受信する読み受信機能と、
この読み受信機能により受信した読みと同じ読みの複数の読み見出語を検索し、この検索した各読み見出語に対応する各漢字見出語を、読みと一致する読み見出語に対応づけて前記記憶機能に記憶された複数の漢字見出語のうちの同一の漢字見出語を含むもの順に一覧表示させる制御信号を前記利用者端末に送信する漢字見出語順一覧表示制御信号送信機能と、
この漢字見出語順一覧表示制御信号送信機能により送信した制御信号により一覧表示される各漢字見出語のうち、何れかの漢字見出語を指定する指定信号を前記利用者端末から受信し、受信した指定信号に含まれる漢字見出語に対応する説明情報を表示させる制御信号を前記利用者端末に送信する説明情報表示制御信号送信機能と、
を実現させることを特徴としている。
【発明の効果】
【００２２】
請求項１又は１０に記載の発明によれば、入力された読みと同じ読みの複数の読み見出語に対応付けられた各漢字見出語を一覧表示し、一の漢字見出語が選択された場合には、選択された漢字見出語を含む複数の漢字見出語を検索して一覧表示することができる。従って、ユーザは所望の漢字を含む見出語を検索したい場合に、当該漢字を含む見出語を適切に表示させることができる。
【００２３】
請求項２に記載の発明によれば、入力された読みに一致する読み見出語に対応付けられた各漢字見出語を一覧表示することができる。
【００２４】
請求項３に記載の発明によれば、入力された読みと同じ読みの複数の読み見出語に対応付けられた各漢字見出語を、読み見出語の読み順に一覧表示することができる。
【００２５】
請求項４に記載の発明によれば、選択された漢字見出語を末尾に含む複数の漢字見出語を検索して一覧表示することができる。
【００２６】
請求項５に記載の発明によれば、入力された読みと同じ読みの複数の読み見出語に対応付けられた各漢字見出語の一覧表示と、選択された漢字見出語を含む複数の漢字見出語の一覧表示とを、ユーザ操作に従って切り替えることができる。
【００２７】
請求項６又は１１に記載の発明によれば、入力された読みと同じ読みの複数の読み見出語を検索して、各読み見出語に対応する各漢字見出語を、前記入力された読みと一致する読み見出語に対応付けられた複数の漢字見出語のうちの同一の漢字見出語を含むもの順に一覧表示することができる。また、一の漢字見出語をユーザ操作に従って指定し、対応する説明情報を表示することができる。
【００２８】
請求項７に記載の発明によれば、検索した読み見出語に対応付けられた各漢字見出語を、この読み見出語の読み順に一覧表示することができ、この読み順による漢字見出語の一覧表示と、請求項６に記載の同一の漢字見出語を含むもの順による漢字見出語の一覧表示とを、ユーザ操作に従って切り替えることができる。
【００２９】
請求項８又は１２に記載の発明によれば、利用者端末から読みのデータを受信した際に、その読みと同じ読みの複数の読み見出語に対応付けられた各漢字見出語を利用者端末に一覧表示させ、一の漢字見出語を選択する選択信号を利用者端末から受信した場合には、その漢字見出語を含む漢字見出語を検索して、利用者端末に一覧表示させることができる。
【００３０】
請求項９又は１３に記載の発明によれば、利用者端末から読みのデータを受信した際に、その読みと同じ読みの複数の読み見出語を検索し、各読み見出語に対応する各漢字見出語を、受信した読みと一致する読み見出語に対応付けられた複数の漢字見出語のうちの同一の漢字見出語を含むもの順に利用者端末に一覧表示させることができる。
【発明を実施するための最良の形態】
【００３１】
以下、図１〜図１７を参照して、情報表示制御装置の一つである折り畳み式の携帯型電子辞書装置（以下、単に「電子辞書」と呼ぶ。）に本発明を適用した場合の実施形態について詳細に説明する。
【００３２】
まず、各実施形態に共通する全体の構成を説明する。
図１（ａ）は、電子辞書１の概観図である。同図が示すように、電子辞書１は、各種操作キーを含むキー群３及びディスプレイ４を備えて構成されている。
【００３３】
キー群３は、ユーザが電子辞書１に対して文字を入力したり、見出語の表示等を指示するためのキーを備えており、図１（ｂ）に示すように、例えば電源キー５と、検索種別選択キー７と、文字入力キー９と、方向キー１１と、訳／決定キー１３と、戻るキー１５と、漢字順／読み順キー１７と、データ表示切替キー１９とを備えている。
【００３４】
電源キー５は、電源のＯＮ／ＯＦＦを切り替えるためのキーである。検索種別選択キー７は、国語辞典を用いた検索の種類を選択する場合に押下されるキーであり、通常検索を行うための通常検索キーと、慣用句検索を行うための慣用句検索キーと、逆引き検索を行うための逆引き検索キーとを備えている。
【００３５】
文字入力キー９は、電子辞書１に対し、文字を入力するためのキーである。方向キー１１は、表示された見出語の中から所望の見出語を選択する場合等に押下されるキーであり、本実施形態においては、上下左右の方向を指示入力可能に構成されている。
【００３６】
訳／決定キー１３は、電子辞書１に対し、見出語の表示や選択した見出語の説明情報の全画面表示を指示したり、操作の確定指示を入力する場合に押下されるキーである。戻るキー１５は、直前の表示画面に表示を戻すためのキーである。
【００３７】
漢字順／読み順キー１７は、通常検索と逆引き検索において、表示される見出語の順序を変更する場合に押下されるキーであり、見出語が読み順に表示されている場合は漢字順、漢字順に表示されている場合は読み順にそれぞれ表示の順序を変更することができる。但し、漢字順とは、同一の漢字見出語を含むもの順に漢字見出語を一覧表示させる場合の表示順序のことをいう。
【００３８】
データ表示切替キー１９は、慣用句検索において、同一の漢字見出語ごとに慣用句見出語を分類して表示させる場合に押下されるキーである。
【００３９】
ディスプレイ４は、各種キーの押下に応じた見出語の説明情報等が表示される部分であって、ＬＣＤ（Liquid Crystal Display）等により構成されており、ＣＰＵ２０から入力される表示信号に基づいて各種表示を行う。
【００４０】
図２は、電子辞書１の構成を示すブロック図である。同図において、電子辞書１は、ＣＰＵ（Central Processing Unit）２０、入力部３０、表示部４０、ＲＯＭ（Read Only Memory）５０、ＲＡＭ（Random Access Memory）６０を備え、各部はバス７０で相互にデータ通信可能に接続されて構成されている。
【００４１】
ＣＰＵ２０は、入力部３０を介して入力される指示に基づいて、ＲＯＭ５０から所定のプログラムを読み出して当該プログラムをＲＡＭ６０に一時格納し、当該プログラムを用いて各種処理を実行した後、その処理結果を表示部４０に出力させる。すなわちＣＰＵ２０は、電子辞書１の各部を統括的に制御する役割を担っている。
【００４２】
入力部３０は、文字入力キーや方向キー等のキー群を備えた入力装置であり、押下されたキーの信号をＣＰＵ２０に出力する。この入力部３０におけるキー入力により、文字の入力、操作の確定指示等の入力手段が実現される。なお、この入力部３０は、図１（ａ）に示すキー群３に対応するが、必ずしもキーである必要はなく、例えばタッチパネルであってもよい。
【００４３】
表示部４０は、ＣＰＵ２０から入力される各種信号に基づいて各種画面を表示するものであり、図１（ａ）に示すディスプレイ４に対応する。
【００４４】
ＲＯＭ５０は、電源がＯＮ状態にされた際に電子辞書１を初期状態に設定するためのプログラム及びデータの他、後述する各実施形態を実現するためのプログラムや辞書ＤＢ等を格納している。ＲＯＭ５０は、第１実施形態ではＲＯＭ５１、第２実施形態ではＲＯＭ５３として説明する。
【００４５】
ＲＡＭ６０は、ＣＰＵ２０の作業領域として各種データを一時的に記憶するための記憶領域である。ＲＡＭ６０は、第１実施形態ではＲＡＭ６１、第２実施形態ではＲＡＭ６３として説明する。
【００４６】
〔第１実施形態〕
図３〜１０を参照して、第１実施形態について説明する。
【００４７】
まず、構成を説明する。
図３（ａ）は、第１実施形態に係る電子辞書１が図２のＲＯＭ５０の代わりに備えるＲＯＭ５１の構成を示す図である。ＲＯＭ５１は、ＣＰＵ２０によって読み出され、慣用句検索処理（図７、図８参照）として実行される慣用句検索プログラム５１１と、国語辞典ＤＢ５１３と、慣用句検索テーブル５１５とを格納している。また、国語辞典ＤＢ５１３は、慣用句ＤＢ５１３ａを備えている。
【００４８】
慣用句検索処理とは、入力された読みに一致する読み見出語に対応付けられた漢字見出語を抽出し、ユーザにより一の漢字見出語が選択された場合には、この選択された漢字見出語を含む慣用句見出語を一覧表示させ、この慣用句見出語の指定操作に応じて説明情報を順次表示させる処理である。また、ユーザによりデータ表示切替キー１９が押下された場合には、抽出した漢字見出語ごとに慣用句見出語を分類表示させる。この慣用句検索処理の動作については詳細に後述する。
【００４９】
国語辞典ＤＢ５１３は、慣用句ＤＢ５１３ａを備えており、慣用句ＤＢ５１３ａにはデータアドレスと、慣用句見出語と、当該慣用句見出語の説明情報とが対応付けられて記憶されている。データアドレスとは、慣用句見出語と当該慣用句見出語の説明情報とが記憶されているアドレスのことを指す。
【００５０】
図４は、慣用句ＤＢ５１３ａのデータ構成の一例を示す図である。同図においては、例えばデータアドレス「００  ３２  ４８」と、慣用句見出語「網を張る」と、説明情報「人をつかまえる手はずをととのえて待つ。」とが対応付けられて記憶されている。
【００５１】
慣用句検索テーブル５１５には、読み見出語と、当該読み見出語に対応付けられた漢字見出語と、当該漢字見出語を含む慣用句見出語及びその説明情報を記憶しているデータアドレスとが対応付けられて記憶されている。
【００５２】
図５は、慣用句検索テーブル５１５のデータ構成の一例を示す図であり、例えば読み見出語「はる」の１つには、漢字見出語「張る」と、漢字見出語「張る」を含む慣用句見出語及びその説明情報が記憶されているデータアドレス「００  ３２  ４８」とが対応付けられて記憶されている。尚、このデータアドレス「００  ３２  ４８」は、図４の慣用句ＤＢ５１３ａにおいて慣用句見出語「網を張る」とその説明情報とが記憶されているデータアドレスに対応する。
【００５３】
図３（ｂ）は、第１実施形態に係る電子辞書１が図２のＲＡＭ６０の代わりに備えるＲＡＭ６１の構成を示す図である。ＲＡＭ６１は、入力文字列格納領域６１１と、候補漢字見出語格納領域６１３と、選択漢字見出語格納領域６１５と、候補慣用句見出語格納領域６１７と、選択慣用句見出語格納領域６１９とを備えている。
【００５４】
入力文字列格納領域６１１は、ユーザにより読みとして入力される入力文字列を格納するための領域であり、図６（ａ）に示すように、例えば入力文字列が「はる」として格納される。
【００５５】
候補漢字見出語格納領域６１３は、ユーザにより入力される読みに一致する読み見出語に対応付けられた漢字見出語（以下、「候補漢字見出語」と呼ぶ。）を格納するための領域であり、図６（ｂ）に示すように、例えば候補漢字見出語が「張る」、「霽」、「撲る」・・・として順に格納される。
【００５６】
選択漢字見出語格納領域６１５は、ユーザにより選択される一の候補漢字見出語（以下、「選択漢字見出語」と呼ぶ。）を格納するための領域であり、図６（ｃ）に示すように、例えば選択漢字見出語が「春」として格納される。
【００５７】
候補慣用句見出語格納領域６１７は、選択漢字見出語を含む慣用句見出語（以下、「候補慣用句見出語」と呼ぶ。）を格納するための領域であり、図６（ｄ）に示すように、例えば候補慣用句見出語が「千代の春」、「春浅し」、「春惜しむ」・・・として順に格納される。
【００５８】
選択慣用句見出語格納領域６１９は、ユーザにより選択される一の候補慣用句見出語（以下、「選択慣用句見出語」と呼ぶ。）を格納するための領域であり、図６（ｅ）に示すように、例えば選択慣用句見出語が「千代の春」として格納される。
【００５９】
次に動作を説明する。
図７、図８は、ＣＰＵ２０により慣用句検索プログラム５１１が読み出されて実行されることにより電子辞書１において実行される慣用句検索処理の流れを示すフローチャートである。
【００６０】
先ず、ユーザにより読みの入力が入力部３０を介してなされると（ステップＡ１）、ＣＰＵ２０は、入力された読みを入力文字列として入力文字列格納領域６１１に格納し、続けてユーザにより訳／決定キー１３が押下されたかどうかを判定する（ステップＡ３）。
【００６１】
ステップＡ３において、訳／決定キー１３が押下されなかったと判定した場合には（ステップＡ３；Ｎｏ）、ＣＰＵ２０はそのまま待機し、押下されたと判定した場合には（ステップＡ３；Ｙｅｓ）、慣用句検索テーブル５１５から、入力された読みに一致する読み見出語を検索し（ステップＡ４）、検索した読み見出語に対応する漢字見出語を抽出して、候補漢字見出語として候補漢字見出語格納領域６１３に格納する（ステップＡ５）。
【００６２】
次いで、ＣＰＵ２０は、候補漢字見出語を表示部４０に一覧表示させ（ステップＡ７）、ユーザによるカーソル上下操作により、何れかの候補漢字見出語が反転されて２秒間停止することによって、一の候補漢字見出語が選択漢字見出語として選択されると（ステップＡ９）、この選択漢字見出語を選択漢字見出語格納領域６１５に格納し、選択漢字見出語を反転表示させる（ステップＡ１１）。
【００６３】
その後、ＣＰＵ２０は、ユーザにより訳／決定キー１３が押下されたかどうかを判定し（ステップＡ１３）、押下されたと判定した場合には（ステップＡ１３、Ｙｅｓ）、慣用句検索テーブル５１５から、選択漢字見出語を含む慣用句見出語が記憶されているデータアドレスを特定する（ステップＡ１５）。
【００６４】
そして、ＣＰＵ２０は、特定したデータアドレスの慣用句見出語を読み出し、候補慣用句見出語として候補慣用句見出語格納領域６１７に格納し、表示部４０に一覧表示させる（ステップＡ１７）。また、ＣＰＵ２０は、一の候補慣用句見出語を選択慣用句見出語として選択慣用句見出語格納領域６１９に格納して、その選択慣用句見出語を反転表示させ（ステップＡ１９）、選択慣用句見出語の説明情報を表示部４０にプレビュー表示させる（ステップＡ２１）。
【００６５】
次いで、ＣＰＵ２０は、ユーザにより戻るキー１５が押下されたかどうかを判定し（ステップＡ２３）、押下されたと判定した場合には（ステップＡ２３；Ｙｅｓ）、ステップＡ７に戻り、押下されなかったと判定した場合には（ステップＡ２３；Ｎｏ）、方向キー１１の上下キーが押下されたかどうかを判定する（ステップＡ２５）。
【００６６】
ステップＡ２５において、上下キーが押下されなかったと判定した場合には（ステップＡ２５；Ｎｏ）、ＣＰＵ２０は、ステップＡ３１へと処理を移行し、押下されたと判定した場合には（ステップＡ２５；Ｙｅｓ）、その上下キーの押下に応じて選択慣用句見出語を変更して（ステップＡ２７）、選択慣用句見出語格納領域６１９に格納・更新し、選択慣用句見出語の説明情報を表示部４０にプレビュー表示させる（ステップＡ２９）。
【００６７】
そして、ＣＰＵ２０は、ユーザにより訳／決定キー１３が押下されたかどうかを判定し（ステップＡ３１）、押下されなかったと判定した場合には（ステップＡ３１；Ｎｏ）、ステップＡ２３に戻り、押下されたと判定した場合には（ステップＡ３１；Ｙｅｓ）、選択慣用句見出語の説明情報を表示部４０に全画面表示させて（ステップＡ３３）、慣用句検索処理を終了する。
【００６８】
また、ステップＡ１３において、ユーザにより訳／決定キー１３が押下されなかったと判定した場合には（ステップＡ１３、Ｎｏ）、ＣＰＵ２０は、ユーザによりデータ表示切替キー１９が押下されたかどうかを判定し（ステップＡ３５）、押下されなかったと判定した場合には（ステップＡ３５；Ｎｏ）、ステップＡ９に戻る。
【００６９】
ステップＡ３５において、データ表示切替キー１９が押下されたと判定した場合には（ステップＡ３５；Ｙｅｓ）、ＣＰＵ２０は、慣用句検索テーブル５１５から、候補漢字見出語それぞれに対応するデータアドレスに基づいて候補慣用句見出語を読み出し（ステップＡ３７）、候補慣用句見出語格納領域６１７に格納する。
【００７０】
そして、ＣＰＵ２０は、読み出した候補慣用句見出語を候補漢字見出語ごとに表示部４０に分類表示させ（ステップＡ３９）、一の候補慣用句見出語を選択慣用句見出語として選択慣用句見出語格納領域６１９に格納し、その選択慣用句見出語を反転表示させる（ステップＡ４１）。また、ＣＰＵ２０は、選択慣用句見出語の説明情報を表示部４０にプレビュー表示させる（ステップＡ４３）。
【００７１】
次いで、ＣＰＵ２０は、ユーザによりデータ表示切替キー１９が押下されたかどうかを判定し（ステップＡ４５）、押下されたと判定した場合には（ステップＡ４５；Ｙｅｓ）、ステップＡ７に戻り、押下されなかったと判定した場合には（ステップＡ４５；Ｎｏ）、ユーザにより方向キー１１の上下キーが押下されたかどうかを判定する（ステップＡ４７）。
【００７２】
ステップＡ４７において、上下キーが押下されなかったと判定した場合には（ステップＡ４７；Ｎｏ）、ＣＰＵ２０は、ステップＡ５３へと処理を移行し、押下されたと判定した場合には（ステップＡ４７；Ｙｅｓ）、その上下キーの押下に応じて選択慣用句見出語を変更して（ステップＡ４９）、選択慣用句見出語格納領域６１９に格納・更新し、選択慣用句見出語の説明情報を表示部４０にプレビュー表示させる（ステップＡ５１）。
【００７３】
そして、ＣＰＵ２０は、ユーザにより訳／決定キー１３が押下されたかどうかを判定し（ステップＡ５３）、押下されなかったと判定した場合には（ステップＡ５３；Ｎｏ）、ステップＡ４５に戻り、押下されたと判定した場合には（ステップＡ５３；Ｙｅｓ）、選択慣用句見出語の説明情報を表示部４０に全画面表示させて（ステップＡ５５）、慣用句検索処理を終了する。
【００７４】
次に、これまでの処理について、表示画面例を参照しつつ、具体的に説明する。
図９（ａ）は、ユーザにより検索種別選択キー７の慣用句検索キーが押下されることで電子辞書１の表示部４０に表示され、慣用句検索における読みを入力するための表示画面の一例である表示画面Ｗ１０を示したものである。表示画面Ｗ１０の上部には、ユーザが読みを入力するための括弧が表示されており、その中には、読み「はる」がＴ１０として入力されている（図７のステップＡ１）。
【００７５】
図９（ｂ）は、候補漢字見出語の一覧が表示され、一の候補漢字見出語が選択漢字見出語として選択された場合の表示画面の一例である表示画面Ｗ１２を示したものである。表示画面Ｗ１２には、読み「はる」の候補漢字見出語がＫ１２として一覧表示され（図７のステップＡ７）、ここでは、ユーザによるカーソル上下操作により、候補漢字見出語「春」が反転されて２秒間停止したことによって、候補漢字見出語「春」が選択漢字見出語として選択され（図７のステップＡ９）、Ｍ１２として反転表示されている（図７のステップＡ１１）。
【００７６】
図９（ｃ）は、候補慣用句見出語の一覧が表示され、一の候補慣用句見出語が選択慣用句見出語として選択された場合の表示画面の一例である表示画面Ｗ１４を示したものである。表示画面Ｗ１４には、選択漢字見出語「春」を含む候補慣用句見出語がＫ１４として一覧表示され（図７のステップＡ１７）、ここでは、候補慣用句見出語「千代の春」が選択慣用句見出語として選択され、Ｍ１４として反転表示されている（図７のステップＡ１９）。また、表示画面Ｗ１４の下部には、選択慣用句見出語「千代の春」の説明情報がＰ１４としてプレビュー表示されている（図７のステップＡ２１）。
【００７７】
図１０は、候補慣用句見出語が候補漢字見出語ごとに分類表示され、一の候補慣用句見出語が選択慣用句見出語として選択された場合の表示画面の一例である表示画面Ｗ２０を示したものである。図９（ｂ）の表示画面Ｗ１２が表示されている状態でデータ表示切替キーが押下されたことで（図７のステップＡ３５；Ｙｅｓ）、表示画面Ｗ２０が表示され、ここでは候補慣用句見出語が候補漢字見出語ごとにＫ２０、Ｋ２２、Ｋ２４、Ｋ２６、Ｋ２８として分類表示されている（図８のステップＡ３９）。但し、一点鎖線で囲まれた部分は、表示画面をスクロールさせない限り見えない部分を表している。
【００７８】
また、ここでは候補慣用句見出語「網を張る」が選択慣用句見出語として選択されてＭ２０として反転表示され（図８のステップＡ４１）、表示画面Ｗ２０の下部には、選択慣用句見出語「網を張る」の説明情報がＰ２０としてプレビュー表示されている（図８のステップＡ４３）。
【００７９】
以上の通りに、第１実施形態によれば、入力された読みに一致する読み見出語に対応付けられた漢字見出語の内、選択された一の漢字見出語を含む慣用句見出語を一覧表示させ、その慣用句見出語の指定操作に応じて説明情報を順次表示させることができる。従って、ユーザが所望の漢字を含む見出語を検索したい場合に、当該漢字を含む見出語を適切に表示させることのできる、使い勝手の良い情報表示制御装置等が実現できる。
【００８０】
〔第２実施形態〕
図１１〜１６を参照して、第２実施形態について説明する。
【００８１】
まず、構成を説明する。
図１１（ａ）は、第２実施形態に係る電子辞書１が図２のＲＯＭ５０の代わりに備えるＲＯＭ５３の構成を示す図である。ＲＯＭ５３は、ＣＰＵ２０によって読み出され、通常検索処理（図１４参照）として実行される通常検索プログラム５３１と、国語辞典ＤＢ５１３とを格納している。
【００８２】
通常検索処理とは、入力された読みから始まる読み見出語と、その読み見出語に対応付けられた漢字見出語とを読み順に表示させ、ユーザにより一の漢字見出語が選択された場合には、その選択された漢字見出語から始まる漢字見出語を特定する。そして、その特定した漢字見出語を先、対応する読み見出語を後とする組を読み順に一覧表示させ、その表示させた読み見出語の指定操作に応じて説明情報を順次表示させる処理である。この通常検索処理の動作については詳細に後述する。
【００８３】
図１２は、国語辞典ＤＢ５１３のデータ構成の一例を示す図である。同図に示すように、国語辞典ＤＢ５１３には、読み見出語と、当該読み見出語に対応付けられた漢字見出語と、説明情報とが対応付けられて記憶されている。例えば、読み見出語「あきのあめ」と、漢字見出語「秋の雨」と、説明情報「秋に降る雨。・・・」とが対応付けられて記憶されている。
【００８４】
図１１（ｂ）は、第２実施形態に係る電子辞書１が図２のＲＡＭ６０の代わりに備えるＲＡＭ６３の構成を示す図である。ＲＡＭ６３は、入力文字列格納領域６３１と、選択漢字見出語格納領域６３３と、選択見出語格納領域６３５とを備えている。
【００８５】
入力文字列格納領域６３１は、ユーザにより読みとして入力される入力文字列を格納するための領域であり、図１３（ａ）に示すように、例えば入力文字列が「あめ」として格納される。
【００８６】
選択漢字見出語格納領域６３３は、ユーザにより選択される一の漢字見出語（以下、「選択漢字見出語」と呼ぶ。）を格納するための領域であり、図１３（ｂ）に示すように、例えば選択漢字見出語が「雨」として格納される。
【００８７】
選択見出語格納領域６３５は、ユーザにより選択される一の読み見出語（以下、「選択見出語」と呼ぶ。）を格納するための領域であり、図１３（ｃ）に示すように、例えば選択見出語が「あめあと」として格納される。
【００８８】
次に動作を説明する。
図１４は、ＣＰＵ２０により通常検索プログラム５３１が読み出されて実行されることにより電子辞書１において実行される通常検索処理の流れを示すフローチャートである。
【００８９】
先ず、ユーザにより読みが入力部３０を介して入力されると（ステップＢ１）、ＣＰＵ２０は、入力された読みを入力文字列として入力文字列格納領域６３１に格納し、国語辞典ＤＢ５１３から、入力された読みから始まる読み見出語を検索する（ステップＢ３）。そして、ＣＰＵ２０は、検索した読み見出語を先、対応する漢字見出語を後とする組を読み順に表示部４０に一覧表示させる（ステップＢ５）。
【００９０】
その後、ユーザによるカーソル上下操作により、何れかの漢字見出語が反転されて２秒間停止することによって、一の漢字見出語が選択漢字見出語として選択されると（ステップＢ７）、ＣＰＵ２０は、この選択漢字見出語を選択漢字見出語格納領域６３３に格納し、選択漢字見出語と、対応する読み見出語とを反転表示させて（ステップＢ９）、選択漢字見出語の説明情報を表示部４０にプレビュー表示させる（ステップＢ１１）。
【００９１】
次いで、ＣＰＵ２０は、ユーザにより漢字順／読み順キー１７が押下されたかどうかを判定し（ステップＢ１３）、押下されたと判定した場合には（ステップＢ１３；Ｙｅｓ）、国語辞典ＤＢ５１３から、選択漢字見出語から始まる漢字見出語を特定し（ステップＢ１５）、特定した漢字見出語を先、対応する読み見出語を後とする組を読み順に表示部４０に一覧表示させる（ステップＢ１７）。
【００９２】
そして、ＣＰＵ２０は、一の読み見出語を選択見出語として選択見出語格納領域６３５に格納し、対応する漢字見出語と共に反転表示させ（ステップＢ１９）、選択見出語の説明情報を表示部４０にプレビュー表示させる（ステップＢ２１）。
【００９３】
次いで、ＣＰＵ２０は、ユーザにより漢字順／読み順キー１７が押下されたかどうかを判定し（ステップＢ２３）、押下されたと判定した場合には（ステップＢ２３；Ｙｅｓ）、ステップＢ５に戻り、押下されなかったと判定した場合には（ステップＢ２３；Ｎｏ）、ユーザにより方向キー１１の上下キーが押下されたかどうかを判定する（ステップＢ２５）。
【００９４】
ステップＢ２５において、上下キーが押下されなかったと判定した場合には（ステップＢ２５；Ｎｏ）、ＣＰＵ２０は、ステップＢ３１へと処理を移行し、押下されたと判定した場合には（ステップＢ２５；Ｙｅｓ）、その上下キーの押下に従って選択見出語を変更して（ステップＢ２７）、選択見出語格納領域６３５に格納・更新し、選択見出語の説明情報を表示部４０にプレビュー表示させる（ステップＢ２９）。
【００９５】
そして、ＣＰＵ２０は、ユーザにより訳／決定キー１３が押下されたかどうかを判定し（ステップＢ３１）、押下されなかったと判定した場合には（ステップＢ３１；Ｎｏ）、ステップＢ２３に戻り、押下されたと判定した場合には（ステップＢ３１；Ｙｅｓ）、選択見出語の説明情報を表示部４０に全画面表示させて（ステップＢ３３）、通常検索処理を終了する。
【００９６】
また、ステップＢ１３において、ユーザにより漢字順／読み順キー１７が押下されなかったと判定した場合には（ステップＢ１３；Ｎｏ）、ＣＰＵ２０は、ユーザにより訳／決定キー１３が押下されたかどうかを判定し（ステップＢ３５）、押下されなかったと判定した場合には（ステップＢ３５；Ｎｏ）、ステップＢ７に戻り、押下されたと判定した場合には（ステップＢ３５；Ｙｅｓ）、選択漢字見出語の説明情報を表示部４０に全画面表示させて（ステップＢ３７）、通常検索処理を終了する。
【００９７】
次に、これまでの処理について、表示画面例を参照しつつ、具体的に説明する。
図１５（ａ）は、ユーザにより検索種別選択キー７の通常検索キーが押下されることで電子辞書１の表示部４０に表示され、通常検索における読みを入力するための表示画面の一例である表示画面Ｗ３０を示したものである。表示画面Ｗ３０の上部には、ユーザが読みを入力するための括弧が表示されており、その中には、読み「あめ」がＴ３０として入力されている（図１４のステップＢ１）。
【００９８】
また、その下方には、各行において、読み「あめ」から始まる読み見出語を先、対応する漢字見出語を後とする組がＫ３０として読み順に一覧表示され（図１４のステップＢ５）、ここでは、ユーザによるカーソル上下操作により、漢字見出語「雨」が反転されて２秒間停止したことによって、漢字見出語「雨」が選択漢字見出語として選択され（図１４のステップＢ７）、Ｍ３０として反転表示されている（図１４のステップＢ９）。更に、表示画面Ｗ３０の下部には、選択漢字見出語「雨」の説明情報がＰ３０としてプレビュー表示されている（図１４のステップＢ１１）。この状態で、ユーザにより漢字順／読み順キー１７が押下されることにより（図１４のステップＢ１３；Ｙｅｓ）、選択漢字見出語「雨」を先、対応する読み見出語「あめ」を後とする組が一覧表示される（図１４のステップＢ１７）。
【００９９】
図１５（ｂ）は、漢字見出語を先、対応する読み見出語を後とする組が一覧表示され、一の読み見出語が選択見出語として選択された場合の表示画面の一例である表示画面Ｗ３２を示したものである。表示画面Ｗ３２には、選択漢字見出語「雨」から始まる漢字見出語を先、対応する読み見出語を後とする組がＫ３２として読み順に一覧表示され（図１４のステップＢ１７）、ここでは、読み見出語「あめあと」が選択見出語として選択され、Ｍ３２として反転表示されている（図１４のステップＢ１９）。また、表示画面Ｗ３２の下部には、選択見出語「あめあと」の説明情報がＰ３２としてプレビュー表示されている（図１４のステップＢ２１）。この状態で、ユーザにより漢字順／読み順キー１７が再度押下されることにより（図１４のステップＢ２３；Ｙｅｓ）、読み「あめ」から始まる読み見出語を先、対応する漢字見出語を後とする組が再び一覧表示される（図１４のステップＢ５）。
【０１００】
図１５（ｃ）は、漢字順／読み順キー１７が再度押下された場合に表示される表示画面の一例である表示画面Ｗ３４を示したものである。表示画面Ｗ３２が表示されている状態で漢字順／読み順キー１７が再度押下されたことにより（図１４のステップＢ２３；Ｙｅｓ）、表示画面Ｗ３４が表示され、ここでは表示画面Ｗ３０と同様に読み「あめ」から始まる読み見出語を先、対応する漢字見出語を後とする組がＫ３０として読み順に一覧表示されている（図１４のステップＢ２３；Ｙｅｓ→ステップＢ５）。また、ここでは漢字見出語「天」が選択漢字見出語として選択され（図１４のステップＢ７）、Ｍ３４として反転表示されている（図１４のステップＢ９）。更に、表示画面Ｗ３４の下部には、選択漢字見出語「天」の説明情報がＰ３４としてプレビュー表示されている（図１４のステップＢ１１）。
【０１０１】
以上の通りに、第２実施形態によれば、入力された読みから始まる読み見出語と、対応する漢字見出語とを読み順に表示させ、ユーザにより選択された一の漢字見出語から始まる漢字見出語を先、対応する読み見出語を後とする組を読み順に一覧表示させて、その表示させた読み見出語の指定操作に応じて説明情報を順次表示させることができる。
【０１０２】
尚、第２実施形態では、国語辞典を用いた通常検索について説明したが、逆引き検索についても同様の処理を行うことが可能である。この場合、図１４に示した通常検索処理のステップＢ３の処理を「国語辞典ＤＢから、入力された読みを末尾に含む読み見出語を検索」とし、ステップＢ１５の処理を「国語辞典ＤＢから、選択漢字見出語を末尾に含む漢字見出語を特定」とすることで、逆引き検索処理が実現される。以下、この逆引き検索処理による実施例を示す。
【０１０３】
図１６（ａ）は、ユーザにより検索種別選択キー７の逆引き検索キーが押下されることで電子辞書１の表示部４０に表示され、逆引き検索における読みを入力するための表示画面の一例である表示画面Ｗ４０を示したものである。表示画面Ｗ４０の上部には、ユーザが読みを入力するための括弧が表示されており、その中には、読み「あめ」がＴ４０として入力されている（図１４のステップＢ１に対応）。
【０１０４】
図１６（ｂ）は、読み見出語を先、対応する漢字見出語を後とする組が表示された場合の表示画面の一例である表示画面Ｗ４２を示したものである。表示画面Ｗ４２では、読み「あめ」を末尾に含む読み見出語を先、対応する漢字見出語を後とする組がＫ４２として読み順に一覧表示され（図１４のステップＢ５に対応）、ユーザによるカーソル上下操作により、漢字見出語「雨」が反転されて２秒間停止したことによって、漢字見出語「雨」が選択漢字見出語として選択され（図１４のステップＢ７に対応）、Ｍ４２として反転表示されている（図１４のステップＢ９に対応）。更に、表示画面Ｗ４２の下部には、選択漢字見出語「雨」の説明情報がＰ４２としてプレビュー表示されている（図１４のステップＢ１１に対応）。この状態で、ユーザにより漢字順／読み順キー１７が押下されることにより（図１４のステップＢ１３；Ｙｅｓに対応）、選択漢字見出語「雨」を先、対応する読み見出語「あめ」を後とする組が一覧表示される（図１４のステップＢ１７に対応）。
【０１０５】
図１６（ｃ）は、漢字見出語を先、対応する読み見出語を後とする組が一覧表示され、一の読み見出語が選択見出語として選択された場合の表示画面の一例である表示画面Ｗ４４を示したものである。表示画面Ｗ４４には、選択漢字見出語「雨」を末尾に含む漢字見出語を先、対応する読み見出語を後とする組がＫ４４として読み順に一覧表示され（図１４のステップＢ１７に対応）、ここでは、読み見出語「あきのあめ」が選択見出語として選択され、Ｍ４４として反転表示されている（図１４のステップＢ１９に対応）。また、表示画面Ｗ４４の下部には、選択見出語「あきのあめ」の説明情報がＰ４４としてプレビュー表示されている（図１４のステップＢ２１に対応）。
【０１０６】
〔変形例〕
（１）情報表示制御装置の変形例
上述した実施形態では、電子辞典、電子事典などを含む電子辞書を適用例として説明したが、本発明の情報表示制御装置は、このような製品に限定されるものではなく、携帯電話、パソコン、電子時計、ＰＤＡ（Personal Digital Assistants）などの電子機器全般に適用可能である。
【０１０７】
（２）電子辞書システム
上述した実施形態では電子辞書１を、単体で動作する所謂スタンドアローン型の装置として説明した。しかし、本発明が適用可能な装置はこれに限られるものではなく、通信装置を内蔵或いは接続可能に構成し、サーバと通信することによって本発明に係る装置を実現することも可能である。以下、図面を参照して具体的に説明する。
【０１０８】
図１７は、通信装置を内蔵した電子辞書端末６００と、サーバ７００とが通信回線Ｎを介して通信可能に接続されたシステム構成の概略図を示す図である。サーバ７００は、例えば汎用のワークステーションやサーバ用コンピュータ等によって構成されるものであり、電子辞書端末６００は、携帯電話機や、通信装置を内蔵したパソコン、通信装置を内蔵した電子辞書等により構成されるものである。通信回線Ｎは、有線／無線の電話網やインターネット網等である。
【０１０９】
図１７において、上述した実施形態の電子辞書１の主要機能を有する機能ブロックを太線で示した。電子辞書１のＣＰＵ２０が実行する慣用句検索処理や通常検索処理等はサーバ７００のＣＰＵ７０２が実行する。また電子辞書１のＲＯＭ５０が記憶する慣用句検索プログラム等はサーバ７００の、ハードディスク等から構成される記憶部７１４が記憶する。また、慣用句検索処理や通常検索処理等の実行に伴うデータはサーバ７００のＲＡＭ７１２が記憶する。
【０１１０】
一方、電子辞書１の入力部３０及び表示部４０はそれぞれ、電子辞書端末６００の入力部６０４及び表示部６０６に相当する。
【０１１１】
すなわち、サーバ７００がホスト（或いはサーバ）、電子辞書端末６００が端末（或いはクライアント）に相当するホスト・端末のシステム（或いはクライアント／サーバ型のシステム）を形成する。そして、電子辞書端末６００の入力部６０４から入力された入力文字等が通信装置６０８を介してサーバ７００に送信され、サーバ７００のＣＰＵ７０２が記憶部７１４に記憶された各種データ及び各種プログラムに従って慣用句検索処理や通常検索処理を実行し、処理結果を通信装置６０８を通じて電子辞書端末６００に送信して表示部６０６に表示させる。このように、サーバ７００及び電子辞書端末６００から構成されるシステムで、本発明を実現することも可能である。この場合、電子辞書端末６００においては、慣用句検索プログラム等を記憶しておく必要がなく、また慣用句検索処理や通常検索処理を実行する必要もない。このため、演算処理能力が比較的低いＣＰＵ６０２や、記憶容量等が比較的小さいＲＯＭ６１０等を具備する電子辞書端末６００（例えば携帯電話）であってもよい。
【図面の簡単な説明】
【０１１２】
【図１】（ａ）本実施形態の電子辞書の概観図。（ｂ）電子辞書のキー配列の一例を示す図。
【図２】本実施形態の電子辞書の内部構成を示すブロック図。
【図３】（ａ）第１実施形態におけるＲＯＭのデータ構成を示す図。（ｂ）第１実施形態におけるＲＡＭのデータ構成を示す図。
【図４】慣用句ＤＢのデータ構成の一例を示す図。
【図５】慣用句検索テーブルのデータ構成の一例を示す図。
【図６】（ａ）入力文字列格納領域を示す図。（ｂ）候補漢字見出語格納領域を示す図。（ｃ）選択漢字見出語格納領域を示す図。（ｄ）候補慣用句見出語格納領域を示す図。（ｅ）選択慣用句見出語格納領域を示す図。
【図７】慣用句検索処理の流れを示すフローチャート。
【図８】慣用句検索処理の流れを示すフローチャート。
【図９】慣用句検索処理により表示される表示画面の遷移を示す図。
【図１０】慣用句検索処理により表示される表示画面の一例を示す図。
【図１１】（ａ）第２実施形態におけるＲＯＭのデータ構成を示す図。（ｂ）第２実施形態におけるＲＡＭのデータ構成を示す図。
【図１２】国語辞典ＤＢのデータ構成の一例を示す図。
【図１３】（ａ）入力文字列格納領域を示す図。（ｂ）選択漢字見出語格納領域を示す図。（ｃ）選択見出語格納領域を示す図。
【図１４】通常検索処理の流れを示すフローチャート。
【図１５】通常検索処理により表示される表示画面の遷移を示す図。
【図１６】逆引き検索処理により表示される表示画面の遷移を示す図。
【図１７】変形例におけるブロック図の一例を示す図。
【図１８】従来の慣用句検索により表示される表示画面の遷移を示す図。
【符号の説明】
【０１１３】
１            電子辞書
３            キー群
４            ディスプレイ
５            電源キー
７            検索種別選択キー
９            文字入力キー
１１          方向キー
１３          訳／決定キー
１５          戻るキー
１７          漢字順／読み順キー
１９          データ表示切替キー
２０          ＣＰＵ
３０          入力部
４０          表示部
５０          ＲＯＭ
６０          ＲＡＭ
７０          バス
【図１】
2006099670.tif 000003
【図２】
2006099670.tif 000004
【図３】
2006099670.tif 000005
【図４】
2006099670.tif 000006
【図５】
2006099670.tif 000007
【図６】
2006099670.tif 000008
【図７】
2006099670.tif 000009
【図８】
2006099670.tif 000010
【図９】
2006099670.tif 000011
【図１０】
2006099670.tif 000012
【図１１】
2006099670.tif 000013
【図１２】
2006099670.tif 000014
【図１３】
2006099670.tif 000015
【図１４】
2006099670.tif 000016
【図１５】
2006099670.tif 000017
【図１６】
2006099670.tif 000018
【図１７】
2006099670.tif 000019
【図１８】
2006099670.tif 000020